(57)【要約】【課題】簡単な形状で、取付作業が容易にでき、製造コストを低減した水洗便器を提供する。【解決手段】水洗便器１は、汚物を受ける便器ボール２と、該便器ボール２から排水する排水口３と、便器ボール２上部のほぼ全周に亘って略水平方向に形成されたリム６と、このリム６の下面にほぼ全周に亘って形成された溝状の案内凹部７と、この案内凹部７に向けて便器ボール２に洗浄水を噴出する吐水口８と、この吐水口８に洗浄水を供給する洗浄水給水管９を備える。さらに、水洗便器１は、洗浄水を整流して吐出する整流部材１０を前記吐水口８に面して着脱可能に設けた。【選択図】図２
2007315011.tif 000002
【特許請求の範囲】
【請求項１】
汚物を受ける便器ボールと、該便器ボール部から排水する排水口と、前記便器ボール部上部のほぼ全周に亘って略水平方向に形成されたリムと、該リムの下面にほぼ全周に亘って形成された溝状の案内凹部と、該案内凹部に向けて便器ボール洗浄水を噴出する吐水口と、該吐水口に洗浄水を供給する洗浄水給水管を備える水洗便器であって、洗浄水を整流して吐出する整流部材を前記吐水口に臨ませて設けたことを特徴とするオープンリム形式の水洗便器。
【請求項２】
前記整流部材を着脱可能に設けたことを特徴とする請求項１に記載の水洗便器。
【請求項３】
前記洗浄水給水管先端に洗浄水吐出口となる開口を有する先端部材を着脱可能に設け、該先端部材の前記開口に臨ませて前記整流部材を設けたことを特徴とする請求項１又は２に記載の水洗便器。
【発明の詳細な説明】
【技術分野】
【０００１】
本発明は、水洗便器に関し、より詳細には、便器ボールに新たな洗浄水を通水してこれを洗浄する際の洗浄水の飛散をなくすようにしたオープンリム形式の水洗便器に関する。
【背景技術】
【０００２】
水洗便器としては、従来から、便器ボール部に洗浄水を通水してこれを洗浄する方式のものが用いられている。この洗浄水通水方式には種々のものがあるが、便器ボール部の上縁に設けた中空のリムから洗浄水を通水する方式が広く普及している。この中空リム通水方式では、中空リムを通水路とし、リム下端全周に亘って点在配設した穴やリム下端に亘って便器ボール部を取り囲むよう形成したＵ字状の穴から、ほぼ垂直に洗浄水を吐出させている。
【０００３】
このリムの穴から噴水する従来の洗浄方式では、新たな洗浄水をタンクに予め貯留し、タンク内の洗浄水をリム通水路に給水するタンク方式が多く行われている。この理由は、
リム通水路に水道管等から洗浄水を直接給水すると、リム下端からは、洗浄水がほぼ垂直に水道水元圧を持って勢いよく噴出される。そのため、噴出洗浄水は、便器ボール部表面に当たって流れ、すぐに溜水に達することとなり、便器ボール部表面或いは溜水水面との衝突により洗浄水が便器ボール外部にまで飛散したりすることがあった。また、洗浄水の衝突に伴う音が大きくなるという問題があった。このようなことから、水道管等からの給水を直接便器ボール部上縁から噴出する方式に適用することは、問題であった。
【０００４】
そこで、溜水を貯め置く便器ボールと、便器ボール部からの排水管路としてのサイホントラップ管路と、ボール部上部のほぼ全周に亘って略水平方向へ溝状に陥没形成した案内凹部と、案内凹部と連通して前記案内凹部に向けて洗浄水を噴出するリム噴出ノズルと、便器ボール部の底部の凹部を取り囲む便器ボール部壁面に設けたゼット噴出口と、外部加圧給水源からの加圧洗浄水を新たな洗浄水として導き入れ、その洗浄水を便器ボール部噴出口とゼット噴出口に各々独立して導く導水手段と、便器ボール部噴出口及びゼット噴出口への通水の切替を行うバルブユニットとを備えると共に、便器ボール部噴出口に洗浄水を供給する便器ボール側管路部に整流板を設けている（例えば、特許文献１）。
【０００５】
この特許文献1の水洗便器は、バルブユニットは、便器ボール部噴出口、ゼット噴出口、便器ボール部噴出口の順で洗浄水を通水するように切り替えを行い、便器ボール部噴出口から噴出された洗浄水が、案内凹部に案内されながら便器ボール部の便器ボール面上縁に沿って略水平方向に旋回流を起こし、便器ボール面上縁回りをほぼ全周に亘って周回させる水洗便器が提案されている。この際に、この便器ボール側管路を通水する洗浄水は整流板により整流されて、便器ボール部噴出口に達し、ここに設けられたノズルから噴出される。このため、流れが整った状態で便器ボール部噴出口から洗浄水が噴出するので、噴出状態が安定化する。
【特許文献１】特開２００４−８４４７３号公報
【発明の開示】
【発明が解決しようとする課題】
【０００６】
しかしながら、特許文献１の整流板はノズル部に設けたものではなく管路部に設けたものであり、ノズル部で吐出水の乱れが起こされることがあり、吐出時の整流効果が不十分で、吐出水の挙動の安定性に欠けるという問題がある。また、管路部に整流板を設ける作業が複雑になり、製造コストがアップするという問題があった。
【０００７】
本発明は、上記の課題を解決するためになされたもので、簡単な形状で、取付作業が容易で、製造コストを低減した水洗便器を提供することを目的とする。
【課題を解決するための手段】
【０００８】
上記の目的を達成するために、請求項１記載の発明に係る水洗便器は、汚物を受ける便器ボールと、該便器ボール部から排水する排水口と、前記便器ボール部上部のほぼ全周に亘って略水平方向に形成されたリムと、該リムの下面にほぼ全周に亘って形成された溝状の案内凹部と、該案内凹部に向けて便器ボール洗浄水を噴出する吐水口と、該吐水口に洗浄水を供給する洗浄水給水管を備える水洗便器であって、洗浄水を整流して吐出する整流部材を前記吐水口に臨ませて設けたことを特徴とする。
【０００９】
請求項２記載の発明に係る水洗便器は、請求項１記載の発明において、前記整流部材を着脱可能に設けたことを特徴とする。
【００１０】
請求項３記載の発明に係る水洗便器は、請求項１又は２記載の発明において、前記洗浄水給水管先端に洗浄水吐水口となる開口を有する先端部材を着脱可能に設け、該先端部材の前記開口に臨ませて前記整流部材を設けたことを特徴とする。
【発明の効果】
【００１１】
請求項１記載の発明によれば、水洗便器は洗浄水吐水口に面して整流部材を設けるので、この工作が容易で製造コストを低減できる。また、吐水口部で整流しつつ洗浄水を吐出するので、吐水口で流れを乱されることがなく、洗浄水の飛散や騒音を減らすことができる。
【００１２】
請求項２記載の発明によれば、請求項１の効果に加え、整流部材の脱着が容易になり、洗浄水の水圧に合った整流部材を使用できるので、多様な条件に対応した水洗便器とすることができる。
【００１３】
請求項３記載の発明によれば、請求項１の効果に加え、整流部材の着脱が一層容易にできるようになり、使用水圧に最も適した整流部材を容易に取り付けることができる。
【発明を実施するための最良の形態】
【００１４】
以下、本発明の実施の形態について、図面を参照して詳しく説明する。図１は本発明の水洗便器の要部を示す平面図、図２はその斜視図、図３はその洗浄水の吐出経路を示す断面図である。
【００１５】
この実施の形態の水洗便器１は、汚物を受ける便器ボール２を備え、便器ボール２は、その底面上に排水口３を有し、排水口３の中心寄りに汚物溜りとしての凹部４を形成し、凹部４の上部周壁は、溜水と接する露出面５を有するようにされている。また、便器ボー２の上部のほぼ全周に亘って略水平方向にリム６が形成されている。リム６の下面にほぼ全周に亘って溝状の案内凹部７が形成され、案内凹部７に向けて便器ボール洗浄水を噴出する吐水口８と、吐水口８に洗浄水を供給する洗浄水給水管９を備えると共に、吐水口８に面して整流部材１０が設けられて水洗便器１が構成されている。
【００１６】
水洗便器１の主要部の便器ボール２、リム６等は陶器から一体成形により形成されている。吐水口８は、洗浄水給水管９の先端部の開口により構成され、この吐水口８に臨んで整流部材１０が設けられている。便器ボール２の底面の排水口３は、建築側の壁や床に設けられた排水立ち上げ管に接続される。この場合、排水口３と排水立ち上げ管の間にサイホントラップ管路を介在させて、便器ボール２側の溜水と排水立ち上げ管との間に圧力差を生じさせるように構成したものでも良い。
【００１７】
ボール２後方の本体後部には中空の隆起部１２が形成され、内部には図示しない制御ユニットが設けられていると共に、洗浄水給水管９が通されている。洗浄水給水管９は、図示してないバルブユニット等を介して加圧給水源、例えば水道管から分岐した一次側給水管１１へと接続されており、水道水等の給水源からの給水を受けるようにされている。そして、洗浄水給水管９により、便器ボール２の上端部を取り囲むリム６の基部内側に洗浄水が供給される。
【００１８】
本実施の形態の洗浄水供給系統の洗浄水給水管９は、図３に示すように、上流側の給水源に接続される一次側給水管１１に接続される直管状の上流側管路部９ａと、便器ボール２に固定される便器ボール側管路部９ｂと、両管路部９ａ，９ｂを接続する屈曲管路部９ｃに分割されている。上流側管路部９ａと便器ボール側管路部９ｂとは、樹脂或いは金属製の管路材で形成され、屈曲管路部９ｃは、耐水性、耐久性に富む弾性材料（例えば、ゴムやエラストマー或いは軟質樹脂材等）で形成され、可撓性を有している。便器ボール側管路部９ｂは、一端が便器ボール２部側に開口し、この開口に一端が面するように便器ボール側管路部９ｂに嵌入されて整流部材１０が設けられている。
【００１９】
整流部材１０は、樹脂或いは金属製の板部材から縦断面形状が十字形に形成され、便器ボール側管路部９ｂの便器ボール２部側の開口に面して脱着可能に取り付けられている。なお、この整流部材１０の形状は、米字形状の放射形状、三角等の多角形状、多重環、星形環形状等、便器ボール側管路部９ｂに給水される洗浄水の水圧によって選択すればよいが、簡単形状の方がコストの面から好ましい。
【００２０】
次に、図３のように構成した洗浄水給水管９の便器組み込み例について説明する。まず、上流側管路部９ａと屈曲管路部９ｃと便器ボール側管路部９ｂを準備し、この順に水密に接着剤等で接着する。このように接続すると、屈曲管路部９ｃで屈曲自在な洗浄水給水管９が構成され、組立作業が容易になる。この洗浄水給水管９の上流側管路部９ａを、水源側管路に固定して接続し、隆起部１２の底部開口１２ａに通し、便器ボール側管路部９ｂの管路部先端を、リム６の基部壁面に空けられた貫通孔６ａに差し込む。こうすると、洗浄水給水管９は、屈曲管路部９ｃで屈曲した経路を形成する。
【００２１】
次いで、便器ボール側管路部９ｂの鍔部９ｄと上記基部壁面との間にシール部材９ｅを介在させて、便器ボール側管路部９ｂ先端ネジ部を便器ボール２の露出面５に露出させ、ボール２壁面に先端ネジ部に固定フランジ１３を螺合して固定する。これにより、洗浄水給水管９はその両端で固定され、一端が洗浄水水源に接続され、他端の吐水口８を形成する開口がボール２に開口される。この吐水口８が開口される位置は、便器ボール２の露出面５上縁に沿って略水平方向に溝状に陥没形成された案内凹部７に連通するようにされている。
【００２２】
次に、上記のように構成してなる水洗便器洗浄水の水洗作用について説明する。吐水口８に臨んで面一に整流部材１０が設けられた洗浄水給水管９は、便器ボール２壁に固定されていることから、その吐水方向を案内凹部７に向けることができる。よって、吐水口８から吐出された洗浄水は、図２の矢印で示すような動きを示すことになる。
【００２３】
すなわち、吐水口８から吐出された洗浄水ＲＳは、便器ボール２部の案内凹部７に案内されながら便器ボール２部の上縁部に沿って略水平方向に旋回を起こし、便器ボール２部面上縁回りをほぼ全周に亘って周回する。その後、洗浄水ＲＳは、旋回しつつ露出面５に沿って伝わり流れて凹部４の溜水に到達すると共に、旋回流速度の低下に伴い、各所でこの旋回流から分岐した流れとなって露出面５に沿って伝わり落ちる。上記の旋回流からの分岐流は旋回流の速度低下に伴うものであることから、吐水口８からの洗浄水噴出速度（初速）により、分岐流の起き方は定まる。
【００２４】
このような旋回挙動を起こす洗浄水ＲＳは、給水管から給水された水道水又は貯留タンクからら給水された供給水に他ならない。よって、洗浄水ＲＳは、その供給水の水圧を持って上記の旋回挙動を起こすので、その旋回の過程で便器ボール２部面表面を高いエネルギで洗浄する。こうした便器洗浄（便器ボール面洗浄）により、高い洗浄能力を発揮できる。
【００２５】
本実施の形態では、洗浄水を、略均一管路径の洗浄水給水管９で吐水口８に導いて、ここから吐出して洗浄水ＲＳとする。従って、洗浄水給水管９により吐水口８へは安定した流れで洗浄水を通水できること、洗浄水噴出に際しては、整流部材１０を有する吐水口８により、噴出方向の安定化や洗浄水の噴出速度等の噴出状況の安定化等を図れることから、噴出後の洗浄水ＲＳの上記した略水平方向の旋回挙動を安定化させることができ、飛散を減らすことができると共に騒音を減らすことができる。
【００２６】
上記のように、吐水口８は、便器ボール面上端のリム６の基部に位置し、このリム６は洗浄水の吐水口８を覆うようにオーバーハングしている。よって、このリム６により吐水口８をその上方から見え難くでき、見栄えを向上できる。また、吐水口８周辺のリム６のオーバーハングにより、噴出洗浄水が不用意に便器ボール部外側に飛び出さないようにできる。
【００２７】
なお、本発明は上記の実施の形態の構成や材料に限定されるものではなく、本発明の趣旨を逸脱しない範囲内において、種々の変形を加えることが可能である。例えば、上記の実施の形態では、便器ボールを陶器で構成したもので説明したが、プラスチック製の水洗便器であっても、よいことは勿論である。また、案内凹部７は、その形状が限定されるものではなく、リム部の下面により形成されるようにしてもよく、洗浄水は案内凹部に案内されながら旋回して便器ボール面上縁回りをほぼ全周に亘って周回しつつ露出面５に沿って伝わり流れるものであればよい。
【００２８】
また、整流部材を直接洗浄水給水管内に取り付けた例で示したが、図４に示すように、先端部材１４に整流部材１０ａを設けて、洗浄水給水管９先端に、ねじ込みや嵌合により取り付けるようにしてもよい。このように先端部材を用いて整流部材を取り付けるようにすると、水圧に適した整流部材１０ａへの交換が容易となり、吐出水の安定化が確実にできるようになる。
【図面の簡単な説明】
【００２９】
【図１】本発明に係る水洗便器の実施の形態を示す一部破断した平面図である。
【図２】その斜視図である。
【図３】その洗浄水の吐出経路を示す断面図である。
【図４】その整流部材の他の例を示す斜視図である。
【符号の説明】
【００３０】
１  水洗便器
２  便器ボール
３  排水口
４  凹部
５  露出面
６  リム
７  案内凹部
８  吐水口
９  洗浄水給水管
１０  整流部材
【図１】
2007315011.tif 000003
【図２】
2007315011.tif 000004
【図３】
2007315011.tif 000005
【図４】
2007315011.tif 000006